(57)【要約】【課題】  伸縮力の強いパワーアップ部を任意の形状でカーブさせて設けることのできる伸縮性経編地の提供。【解決手段】  非弾性糸１で編成された経編の地組織に弾性糸２，３，４，５が挿入または編成されている伸縮性経編地であって、弾性糸２，３，４，５は複数の筬Ａ，Ｂ，Ｃ，Ｄにより編成してあり、一の筬Ｂにより編成される弾性糸３の緯方向に移行する部分３ｂと、他の筬Ｃにより編成される弾性糸４の緯方向に移行する部分４ｂとを連続させて、伸縮力が他の部分よりも強いパワーアップ部６を形成してあり、パワーアップ部６は、一の筬Ｂの緯方向に移動できる範囲を超えて連続している。【選択図】      図３
2014005581.tif 000002
【特許請求の範囲】
【請求項１】
非弾性糸で編成された経編の地組織に弾性糸が挿入または編成されている伸縮性経編地であって、弾性糸は複数の筬により編成してあり、一の筬により編成される弾性糸の緯方向に移行する部分と、他の筬により編成される弾性糸の緯方向に移行する部分とを連続させて、伸縮力が他の部分よりも強いパワーアップ部を形成してあり、パワーアップ部は、一の筬の緯方向に移動できる範囲を超えて連続していることを特徴とする伸縮性経編地。
【請求項２】
パワーアップ部は、異なる筬により弾性糸を二重に挿入して形成してあることを特徴とする請求項１記載の伸縮性経編地。
【請求項３】
請求項１又は２記載の伸縮性経編地を用いていることを特徴とする衣類。
【発明の詳細な説明】
【技術分野】
【０００１】
本発明は、伸縮力の強いパワーアップ部を任意のカーブした形状で備える伸縮性経編地と、これを用いた衣類に関する。
【背景技術】
【０００２】
ガードルやボディスーツ等の女性用の下着には、伸縮性経編地が用いられている。伸縮性経編地は、非弾性糸よりなる地編組織に弾性糸を挿入ないし編込むことで生地全体に伸縮性をもたせたものである。さらに、生地全体に挿入ないし編込まれる弾性糸に加えて、より伸縮力の強い強化伸縮糸を部分的に挿入ないし編込むことで、伸縮力が他の部分より強いパワーアップ部を備えたものも知られている。一般にパワーアップ部は、生地の経方向に沿って直線状に一定の幅で形成されている。しかし女性の体は胸部や臀部に丸みがあって、直線状のパワーアップ部では体型を補正する効果が十分に得られない。
【０００３】
特許文献１には、地編全体に配される第１の伸縮糸とは別の伸縮強化用の第２の伸縮糸を挿入して帯状の強化伸縮部を形成し、強化伸縮部を所定のカーブや折れ曲がり等を有する任意の形状で編方向に連続させて編成することが記載されている。しかし、強化伸縮部を形成する第２の伸縮糸は、単一の筬によって挿入されるため、強化伸縮部の緯方向への移動量は同筬が緯方向に移動できる範囲に限定され、同筬の移動可能な範囲以上に強化伸縮部を緯方向に大きくカーブさせることはできなかった。
【０００４】
特許文献２には、ジャカード編からなる地編が非弾性糸で編まれ、更に弾性糸が挿入ないし編込まれてなる経編地において、地編の表側に表れる編組織を切り替えて、組織の変化により、伸縮力の強い部分を帯状でカーブした連続パターンで設けることが記載されている。この方式によれば、伸縮力の強い部分を任意のカーブした形状で形成できるが、編組織の変化によっては伸縮力の強さに大きな差をもたせるのは困難なため、十分な体型補正効果が得られない。
【先行技術文献】
【特許文献】
【０００５】
【特許文献１】特開２００１−３０３４１４号公報
【特許文献２】特許第３０２３３５４号公報
【発明の概要】
【発明が解決しようとする課題】
【０００６】
本発明は以上に述べた実情に鑑み、伸縮力の強いパワーアップ部を任意の形状でカーブさせて設けることのできる伸縮性経編地と、これを使用した衣類の提供を目的とする。
【課題を解決するための手段】
【０００７】
上記の課題を達成するために請求項１記載の発明による伸縮性経編地は、非弾性糸で編成された経編の地組織に弾性糸が挿入または編成されている伸縮性経編地であって、弾性糸は複数の筬により編成してあり、一の筬により編成される弾性糸の緯方向に移行する部分と、他の筬により編成される弾性糸の緯方向に移行する部分とを連続させて、伸縮力が他の部分よりも強いパワーアップ部を形成してあり、パワーアップ部は、一の筬の緯方向に移動できる範囲を超えて連続していることを特徴とする。
【０００８】
請求項２記載の発明による伸縮性経編地は、請求項１記載の発明の構成に加え、パワーアップ部は、異なる筬により弾性糸を二重に挿入して形成してあることを特徴とする。
【０００９】
請求項３記載の発明による衣類は、請求項１又は２記載の伸縮性経編地を用いていることを特徴とする。
【発明の効果】
【００１０】
請求項１記載の発明による伸縮性経編地は、弾性糸を複数の筬により編成し、一の筬により編成される弾性糸の緯方向に移行する部分と、他の筬により編成される弾性糸の緯方向に移行する部分とを連続させることで、一の筬の緯方向に移動できる範囲を超えてパワーアップ部を大きくカーブするように連続させて任意の形状で形成できる。
【００１１】
請求項２記載の発明による伸縮性経編地は、パワーアップ部が異なる筬により弾性糸を二重に挿入して形成してあるので、パワーアップ部の伸縮力を十分強くできる。
【００１２】
請求項３記載の発明による衣類は、請求項１又は２記載の伸縮性経編地を用いることで、パワーアップ部を任意の形状にカーブさせて設けることができ、しかもパワーアップ部に強い伸縮力を持たせられるので、例えば女性用の下着に用いた場合には優れた体型補正機能が得られる。
【図面の簡単な説明】
【００１３】
【図１】本発明の伸縮性経編地の一実施形態を模式的に示す平面図である。
【図２】同伸縮性経編地の組織図である。
【図３】同伸縮性経編地の弾性糸のみを示す組織図である。
【図４】同伸縮性経編地の組織を筬ごとに分解して示す組織図である。
【図５】本発明の伸縮性経編地を用いて作成した衣類の一例を示す図である。
【発明を実施するための形態】
【００１４】
以下、本発明の実施の形態を図面に基づいて説明する。図１は本発明の伸縮性経編地７の一実施形態を模式的に示す平面図であり、図２は同伸縮性経編地７の組織図であり、図３は同伸縮性経編地７の弾性糸２，３，４，５のみの組織図であって、図２の組織図から非弾性糸１を省略したものである。図４は、同伸縮性経編地７の組織を筬ごとに分解して示す組織図である。
本伸縮性経編地７は、ナイロンやポリエステル等の非弾性糸１よりなる地組織にポリウレタン等の弾性糸２，３，４，５を挿入し、生地全体に伸縮性をもたせてあると共に、伸縮力が他の部分より強いパワーアップ部６を、図１に示すように、緯方向に大きくカーブしたウエーブ状の形で所定の幅で設けてある。編機は、カールマイヤー社製のＭＲＳ２６Ｅを用いた。
【００１５】
非弾性糸１は、図４に示すように、３ウエール間をジグザグ状に移行しながら各ウエールにループを形成しており、この非弾性糸１を図２に示すように、全ウエールにわたって編成して地組織を形成している。
弾性糸２，３，４，５は、地組織と共に編成されることにより挿入組織を構成するものであって、図４に示すように、複数の筬Ａ，Ｂ，Ｃ，Ｄにより編成している。
筬Ａにより挿入される弾性糸２は、経方向に沿うようにジグザグ状に挿入されている。
筬Ｂにより挿入される弾性糸３は、経方向に沿うようにジグザグ状に挿入される部分３ａと、緯方向に移行しながらジグザグ状に斜めに挿入される部分３ｂとを有している。
筬Ｃにより挿入される弾性糸４は、経方向に沿うようにジグザグ状に挿入される部分４ａと、緯方向に移行しながらジグザグ状に斜めに挿入される部分４ｂとを有しており、この緯方向に移行する部分４ｂは、筬Ｂにより挿入される弾性糸３の緯方向に移行する部分３ｂと連続するように、３ｂに対して経方向にずれた位置に配置されている。
筬Ｄにより挿入される弾性糸５は、経方向に沿うようにジグザグ状に挿入される部分５ａと、緯方向に移行しながらジグザグ状に斜めに挿入される部分５ｂとを有しており、この緯方向に移行する部分５ｂは、筬Ｃにより挿入される弾性糸４の緯方向に移行する部分４ｂと連続するように、４ｂに対して経方向にずれた位置に配置されている。
【００１６】
図３に示すように、筬Ａにより弾性糸２が挿入される範囲と、筬Ｂにより弾性糸３が挿入される範囲と、筬Ｃにより弾性糸４が挿入される範囲と、筬Ｄにより弾性糸５が挿入される範囲とは、互いに重なっている。筬Ｂにより挿入される弾性糸３、筬Ｃにより挿入される弾性糸４、筬Ｄにより挿入される弾性糸５は、それぞれ６本ずつ緯方向に並べて挿入されている。
そして、パワーアップ部６のうち経方向の端部に位置する台形状の領域６ａは、筬Ａにより挿入される弾性糸２と筬Ｂにより挿入される弾性糸３とが重なって挿入されている。パワーアップ部６の領域６ａに続く平行四辺形状の領域６ｂは、筬Ｂにより挿入される弾性糸３と筬Ｃにより挿入される弾性糸４とが重なって挿入されている。パワーアップ部６の領域６ｂに続く平行四辺形状の領域６ｃは、筬Ｃにより挿入される弾性糸４と筬Ｄにより挿入される弾性糸５とが重なって挿入されている。パワーアップ部６の領域６ｃに続く台形状の領域６ｄは、筬Ｄにより挿入される弾性糸５と筬Ａにより挿入される弾性糸２とが重なって挿入されている。
【００１７】
以上に述べたように本伸縮性経編地７は、弾性糸２，３，４，５を複数の筬Ａ，Ｂ，Ｃ，Ｄにより挿入し、筬Ｂにより挿入される弾性糸３の緯方向に移行する部分３ｂと、筬Ｃにより挿入される弾性糸４の緯方向に移行する部分４ｂと、筬Ｄにより挿入される弾性糸５の緯方向に移行する部分５ｂとが連続するように配置することで、各筬の緯方向への可動範囲に制限されることなく、パワーアップ部６を緯方向に大きくカーブさせて設けることが可能となる。
またパワーアップ部６は、複数の領域６ａ，６ｂ，６ｃ，６ｄごとにそれぞれ弾性糸２，３，４，５を二重に挿入して形成されているため、強い伸縮力をもたせることができる。
なお、図２，３，４では、筬Ｂ，Ｃ，Ｄにより弾性糸３，４，５が６本ずつ挿入され、各弾性糸３，４，５はそれぞれ６ウエールずつ緯方向に移行し、パワーアップ部６は１８ウエール緯方向にカーブしたように記載しているが、これは図面の大きさの関係で分りやすいように記載したものに過ぎず、実際のものはパワーアップ部６が一つの筬の緯方向に移動できる範囲（編機がＭＲＳ２６Ｅの場合、４０ウエール）を超えて、図に示したものよりも大きく緯方向にカーブするように連続して設けられる。例えば筬Ｂ，Ｃ，Ｄにより弾性糸３，４，５が４０本ずつ挿入され、各弾性糸３，４，５はそれぞれ４０ウエールずつ緯方向に移行し、パワーアップ部６は１２０ウエール緯方向に連続してカーブするように設けられる。
【００１８】
図５は、本発明の伸縮性経編地７を用いて作成した衣類の一例であって、女性用のガードルに適用した例を示している。このガードルは、パワーアップ部６が前側の上部両側から斜め下の方にのび、後側でお尻の下側を包み込むように大きくカーブして設けてある。このようにパワーアップ部６を設けることで、お尻の形を整えて上に持ち上げることができ、理想的なヒップラインが得られる。またパワーアップ６は、生地に弾性糸を挿入して形成してあるため、別の伸縮性の生地を縫い付けて形成した場合のように、ガードルの上にはいたパンツ等の衣類に段差が表れない。
【００１９】
本発明は以上に述べた実施形態に限定されない。パワーアップ部６は、目的に応じて任意の形状にカーブさせて設けることができ、また一つの生地の中にパワーアップ部６を複数本設けたり、パワーアップ部６をＸ字状などに交差して設けることもできる。パワーアップ部６の幅（弾性糸の本数）は、適宜変更することができる。非弾性糸１及び弾性糸２，３，４，５の材質や編み方は適宜変更することができる。本発明の伸縮性経編地の編成に用いられる編機は特に限定されず、筬の枚数、筬の可動範囲等は任意である。また、本発明の伸縮性経編地を用いた衣類は、ガードルに限らず、ブラジャーやショーツ、ボディスーツ等の下着、スポーツウェア、水着等、あらゆる衣類に適用することができる。パワーアップ部６は、体型を補正する機能の他、姿勢を矯正したり、運動を補助して疲労を軽減させるなど様々な機能を発揮させることができ、その目的に応じてパワーアップ部６の形状を任意に設定することができる。
【符号の説明】
【００２０】
１  非弾性糸
２，３，４，５  弾性糸
６  パワーアップ部
７  伸縮性経編地
Ａ，Ｂ，Ｃ，Ｄ  筬
【図１】
2014005581.tif 000003
【図２】
2014005581.tif 000004
【図３】
2014005581.tif 000005
【図４】
2014005581.tif 000006
【図５】
2014005581.tif 000007